【手続補正書】
【提出日】平成24年5月31日(2012.5.31)
【手続補正１】
【補正対象書類名】特許請求の範囲
【補正対象項目名】全文
【補正方法】変更
【補正の内容】
【特許請求の範囲】
【請求項１】
被検眼に照明光を照射する照射手段と、前記被検眼からの前記照明光の反射光を受光する受光手段とを含み、前記反射光の受光結果に基づいて前記被検眼の撮影画像を形成する撮影画像形成部と、
光源からの光を信号光と参照光とに分割し、前記被検眼を経由した前記信号光と参照光路を経由した参照光との干渉光を生成して検出する光学系を含み、前記干渉光の検出結果に基づいて前記被検眼の断層像を形成する断層像形成部と、
を有する眼科観察装置であって、
前記撮影画像形成部は、前記受光手段に対して略共役な位置に設けられ、前記受光手段の位置を表すマークとして前記撮影画像中に写し込まれるマーキング手段を備え、
基準位置に配置された前記受光手段を用いて形成された基準撮影画像中に写し込まれた前記マークの位置に基づく基準位置情報をあらかじめ記憶する記憶手段と、
前記撮影画像形成部により新たな撮影画像が形成され、前記断層像形成部により断層像が形成されたときに、該撮影画像中に写し込まれた前記マークの位置と前記記憶された基準位置情報とに基づいて、該撮影画像と該断層像との相対位置を補正する補正手段と、
を備える、
ことを特徴とする眼科観察装置。
【請求項２】
前記撮影画像形成部は、前記受光手段に対して略共役な位置に設けられ、前記反射光の中央部分を透過させる透過領域と周辺部分を遮蔽する遮蔽領域とを有する撮影マスクを含み、
前記マーキング手段は、前記撮影マスクの前記遮蔽領域に形成された透光部を含み、
前記補正手段は、前記透光部を透過した前記反射光の像として前記基準撮影画像中に写し込まれたマークの位置に基づいて前記基準位置情報をあらかじめ生成し、更に、前記新たな撮影画像及び前記断層像が形成されたときに、該撮影画像中に写し込まれた前記透光部のマークの位置に基づいて前記受光手段の現在位置を表す現在位置情報を生成し、前記現在位置情報と前記基準位置情報とを比較して前記相対位置を補正する、
ことを特徴とする請求項１に記載の眼科観察装置。
【請求項３】
前記マーキング手段は、前記撮影マスクの前記透過領域を挟んだ対向位置に設けられた一対の前記透光部を含み、
前記補正手段は、前記撮影画像形成部による撮影画像に基づいて前記一対の透光部に対応する一対の前記マークの中間位置を求め、前記基準撮影画像に基づく前記中間位置と前記新たな撮影画像に基づく前記中間位置との変位に基づいて該撮影画像及び／又は該断層像を平行移動させて前記相対位置を補正する、
ことを特徴とする請求項２に記載の眼科観察装置。
【請求項４】
前記マーキング手段は、前記撮影マスクの前記透過領域を挟んだ対向位置に設けられた一対の前記透光部を含み、
前記補正手段は、前記撮影画像形成部による撮影画像に基づいて前記一対の透光部に対応する一対の前記マークを結んだ直線を求め、前記基準撮影画像に基づく前記直線と前記新たな撮影画像に基づく前記直線とが成す角度に基づいて該撮影画像及び／又は該断層像を回転移動させて前記相対位置を補正する、
ことを特徴とする請求項２に記載の眼科観察装置。
【請求項５】
前記マーキング手段は、前記反射光の周辺部分又は前記反射光の外部位置に設けられた発光部材を含み、
前記補正手段は、前記発光部材から出力された光の像として前記基準撮影画像中に写し込まれたマークの位置に基づいて前記基準位置情報をあらかじめ生成し、更に、前記新たな撮影画像及び前記断層像が形成されたときに、前記発光部材からの光の像として該撮影画像中に写し込まれたマークの位置に基づいて前記受光手段の現在位置を表す現在位置情報を生成し、前記現在位置情報と前記基準位置情報とを比較して前記相対位置を補正する、
ことを特徴とする請求項１に記載の眼科観察装置。
【請求項６】
前記マーキング手段は、前記反射光を導光する光学系の光軸を挟んだ対向位置に設けられた一対の前記発光部材を含み、
前記補正手段は、前記撮影画像形成部による撮影画像に基づいて前記一対の発光部材に対応する一対の前記マークの中間位置を求め、前記基準撮影画像に基づく前記中間位置と前記新たな撮影画像に基づく前記中間位置との変位に基づいて該撮影画像及び／又は該断層像を平行移動させて前記相対位置を補正する、
ことを特徴とする請求項５に記載の眼科観察装置。
【請求項７】
前記マーキング手段は、前記反射光を導光する光学系の光軸を挟んだ対向位置に設けられた一対の前記発光部材を含み、
前記補正手段は、前記撮影画像形成部による撮影画像に基づいて前記一対の発光部材に対応する一対の前記マークを結んだ直線を求め、前記基準撮影画像に基づく前記直線と前記新たな撮影画像に基づく前記直線とが成す角度に基づいて該撮影画像及び／又は該断層像を回転移動させて前記相対位置を補正する、
ことを特徴とする請求項５に記載の眼科観察装置。
【請求項８】
前記マーキング手段は、撮影画像中の異なる位置に複数組の前記マークを写し込むことが可能であり、
前記記憶手段は、基準撮影画像中に写し込まれた前記複数組のそれぞれのマークの位置に基づく前記基準位置情報をあらかじめ記憶し、
前記補正手段は、前記新たな撮影画像に写し込まれた一組のマークの位置と前記基準位置情報とに基づいて前記相対位置を補正する、
ことを特徴とする請求項１〜請求項７のいずれか一項に記載の眼科観察装置。
【請求項９】
前記撮影画像形成部は、前記反射光を導光する光学系の光軸に沿って移動して撮影倍率を変更する変倍レンズを更に含み、
前記補正手段は、前記基準撮影画像が形成されたときの前記変倍レンズの位置と、前記新たな撮影画像が形成されたときの前記変倍レンズの位置とに基づいて、前記基準撮影画像の倍率と前記新たな撮影画像の倍率とを合わせる、
ことを特徴とする請求項１〜請求項８のいずれか一項に記載の眼科観察装置。
【請求項１０】
前記撮影画像形成部は、前記反射光を導光する光学系の光軸に沿って移動して撮影倍率を変更する変倍レンズを更に含み、
前記補正手段は、前記基準撮影画像に写し込まれたマークのサイズと、前記新たな撮影画像に写し込まれたマークのサイズとに基づいて、前記基準撮影画像の倍率と前記新たな撮影画像の倍率とを合わせる、
ことを特徴とする請求項１〜請求項８のいずれか一項に記載の眼科観察装置。
【請求項１１】
被検眼に照明光を照射する照射手段と、前記被検眼からの前記照明光の反射光を受光する受光手段とを含み、前記反射光の受光結果に基づいて前記被検眼の撮影画像を形成する撮影画像形成部と、
光源からの光を信号光と参照光とに分割し、前記被検眼を経由した前記信号光と参照光路を経由した参照光との干渉光を生成して検出する光学系と、前記被検眼に対して前記信号光を走査する走査手段とを含み、前記干渉光の検出結果に基づいて前記被検眼の断層像を形成する断層像形成部と、
を有する眼科観察装置であって、
前記撮影画像形成部は、前記受光手段に対して略共役な位置に設けられ、前記受光手段の位置を表すマークとして前記撮影画像中に写し込まれるマーキング手段を備え、
基準位置に配置された前記受光手段を用いて形成された基準撮影画像中に写し込まれた前記マークの位置に基づく基準位置情報をあらかじめ記憶する記憶手段と、
前記断層像形成部により断層像が形成されたときに、前記走査手段による前記信号光の走査態様と前記記憶された基準位置情報とに基づいて該断層像の位置を補正する補正手段と、
を備える、
ことを特徴とする眼科観察装置。
【請求項１２】
前記撮影画像形成部は、前記受光手段に対して略共役な位置に設けられ、前記反射光の中央部分を透過させる透過領域と周辺部分を遮蔽する遮蔽領域とを有する撮影マスクを含み、
前記マーキング手段は、前記撮影マスクの前記遮蔽領域に形成された透光部を含み、
前記補正手段は、前記透光部を透過した前記反射光の像として前記基準撮影画像中に写し込まれたマークの位置に基づいて前記基準位置情報をあらかじめ生成し、更に、前記断層像が形成されたときに、前記信号光の走査態様と前記基準位置情報とに基づいて前記位置の補正を行う、
ことを特徴とする請求項１１に記載の眼科観察装置。
【請求項１３】
前記走査手段は、前記被検眼の所定の走査領域内において前記信号光を走査し、
前記マーキング手段は、前記撮影マスクの前記遮蔽領域に形成された一対の前記透光部を含み、
前記補正手段は、前記基準撮影画像中に写し込まれた前記一対の透光部に対応する一対の前記マークの中間位置を求めて前記基準位置情報を生成し、更に、前記断層像が形成されたときの前記所定の走査領域の中心位置を求め、該求められた前記中心位置と前記一対のマークの中間位置との変位に基づいて該断層像を平行移動させて前記位置の補正を行う、
ことを特徴とする請求項１２に記載の眼科観察装置。
【請求項１４】
前記走査手段は、前記被検眼の所定の走査線に沿って前記信号光を走査し、
前記マーキング手段は、前記撮影マスクの前記遮蔽領域に形成された一対の前記透光部を含み、
前記補正手段は、前記基準撮影画像中に写し込まれた前記一対の透光部に対応する一対の前記マークを結んだ直線を求めて前記基準位置情報を生成し、更に、前記断層像が形成されたときの前記所定の走査線の方向と前記直線とが成す角度に基づいて該断層像を回転移動させて前記位置の補正を行う、
ことを特徴とする請求項１２に記載の眼科観察装置。
【請求項１５】
前記マーキング手段は、前記反射光の周辺部分又は前記反射光の外部位置に設けられた発光部材を含み、
前記補正手段は、前記発光部材から出力された光の像として前記基準撮影画像中に写し込まれたマークの位置に基づいて前記基準位置情報をあらかじめ生成し、更に、前記断層像が形成されたときに、前記信号光の走査態様と前記基準位置情報とに基づいて前記位置の補正を行う、
ことを特徴とする請求項１１に記載の眼科観察装置。
【請求項１６】
前記走査手段は、前記被検眼の所定の走査領域内において前記信号光を走査し、
前記マーキング手段は、前記反射光を導光する光学系の光軸を挟んだ対向位置に設けられた一対の前記発光部材を含み、
前記補正手段は、前記基準撮影画像中に写し込まれた前記一対の発光部材に対応する一対の前記マークの中間位置を求めて前記基準位置情報を生成し、更に、前記断層像が形成されたときの前記所定の走査領域の中心位置を求め、該求められた前記中心位置と前記一対のマークの中間位置との変位に基づいて該断層像を平行移動させて前記位置の補正を行う、
ことを特徴とする請求項１５に記載の眼科観察装置。
【請求項１７】
前記走査手段は、前記被検眼の所定の走査線に沿って前記信号光を走査し、
前記マーキング手段は、前記反射光を導光する光学系の光軸を挟んだ対向位置に設けられた一対の前記発光部材を含み、
前記補正手段は、前記基準撮影画像中に写し込まれた前記一対の発光部材に対応する一対の前記マークを結んだ直線を求めて前記基準位置情報を生成し、更に、前記断層像が形成されたときの前記所定の走査線の方向と前記直線とが成す角度に基づいて該断層像を回転移動させて前記位置の補正を行う、
ことを特徴とする請求項１５に記載の眼科観察装置。
【請求項１８】
前記撮影画像形成部は、前記反射光及び前記信号光を導光する光学系の光軸に沿って移動して撮影倍率を変更する変倍レンズを更に含み、
前記補正手段は、前記基準撮影画像が形成されたときの前記変倍レンズの位置と、前記断層像が形成されたときの前記変倍レンズの位置とに基づいて、前記基準撮影画像の倍率と前記断層像の倍率とを合わせる、
ことを特徴とする請求項１１〜請求項１７のいずれか一項に記載の眼科観察装置。
【請求項１９】
前記撮影画像形成部により形成された撮影画像に写し込まれた前記マークを消去する画像処理を施す画像処理手段と、
前記マークが消去された前記撮影画像を表示する表示手段と、
を更に備える、
ことを特徴とする請求項１〜請求項１８のいずれか一項に記載の眼科観察装置。
【手続補正２】
【補正対象書類名】明細書
【補正対象項目名】００２２
【補正方法】変更
【補正の内容】
【００２２】
上記目的を達成するために、請求項１に記載の発明は、被検眼に照明光を照射する照射手段と、前記被検眼からの前記照明光の反射光を受光する受光手段とを含み、前記反射光の受光結果に基づいて前記被検眼の撮影画像を形成する撮影画像形成部と、光源からの光を信号光と参照光とに分割し、前記被検眼を経由した前記信号光と参照光路を経由した参照光との干渉光を生成して検出する光学系を含み、前記干渉光の検出結果に基づいて前記被検眼の断層像を形成する断層像形成部と、を有する眼科観察装置であって、前記撮影画像形成部は、前記受光手段に対して略共役な位置に設けられ、前記受光手段の位置を表すマークとして前記撮影画像中に写し込まれるマーキング手段を備え、基準位置に配置された前記受光手段を用いて形成された基準撮影画像中に写し込まれた前記マークの位置に基づく基準位置情報をあらかじめ記憶する記憶手段と、前記撮影画像形成部により新たな撮影画像が形成され、前記断層像形成部により断層像が形成されたときに、該撮影画像中に写し込まれた前記マークの位置と前記記憶された基準位置情報とに基づいて、該撮影画像と該断層像との相対位置を補正する補正手段と、を備える、ことを特徴とする。
【手続補正３】
【補正対象書類名】明細書
【補正対象項目名】００３２
【補正方法】変更
【補正の内容】
【００３２】
また、請求項１１に記載の発明は、被検眼に照明光を照射する照射手段と、前記被検眼からの前記照明光の反射光を受光する受光手段とを含み、前記反射光の受光結果に基づいて前記被検眼の撮影画像を形成する撮影画像形成部と、光源からの光を信号光と参照光とに分割し、前記被検眼を経由した前記信号光と参照光路を経由した参照光との干渉光を生成して検出する光学系と、前記被検眼に対して前記信号光を走査する走査手段とを含み、前記干渉光の検出結果に基づいて前記被検眼の断層像を形成する断層像形成部と、を有する眼科観察装置であって、前記撮影画像形成部は、前記受光手段に対して略共役な位置に設けられ、前記受光手段の位置を表すマークとして前記撮影画像中に写し込まれるマーキング手段を備え、基準位置に配置された前記受光手段を用いて形成された基準撮影画像中に写し込まれた前記マークの位置に基づく基準位置情報をあらかじめ記憶する記憶手段と、前記断層像形成部により断層像が形成されたときに、前記走査手段による前記信号光の走査態様と前記記憶された基準位置情報とに基づいて該断層像の位置を補正する補正手段と、を備える、ことを特徴とする。